(57)【特許請求の範囲】
【請求項１】
利用者が携行する携行物に配され、通電が成されると個体識別情報を重畳させた変調波を送信アンテナから周期的に放射するアクティブ無線タグと、
前記携行物が奪われた際に、接点からクリップ付きのヒモにくくったピンが抜けて前記接点が閉成して電池から前記アクティブ無線タグへ通電を行う前記携行物に配される常開スイッチと、
前記変調波を捉える受信アンテナと、捉えた変調波の増幅、検波、復調を行う受信回路と、個体識別が成されると立寄時間および拠点場所情報とともに前記個体識別情報を通信回線を介して通報先に送信する通報回路とを有し、複数の監視拠点に設置される拠点装置とで構成され、
前記監視拠点に犯人が立ち寄った際に、前記アクティブ無線タグから前記変調波が放射されると、前記通報先では、前記個体識別情報とともに送られてくる前記立寄時間および前記拠点場所情報に基づいて前記携行物の場所を特定することを特徴とする追跡システム。
【請求項２】
利用者が携行する携行物に配され、通電が成されると個体識別情報を重畳させた変調波を送信アンテナから周期的に放射するアクティブ無線タグと、
前記携行物が奪われた際に発生する大きな加速度を前記携行物に配されるＧセンサが検出すると電池から前記アクティブ無線タグへ通電を行う前記携行物に配される自己保持形の通電回路と、
前記変調波を捉える受信アンテナと、捉えた変調波の増幅、検波、復調を行う受信回路と、個体識別が成されると立寄時間および拠点場所情報とともに前記個体識別情報を通信回線を介して通報先に送信する通報回路とを有し、複数の監視拠点に設置される拠点装置とで構成され、
前記監視拠点に犯人が立ち寄った際に、前記アクティブ無線タグから前記変調波が放射されると、前記通報先では、前記個体識別情報とともに送られてくる前記立寄時間および前記拠点場所情報に基づいて前記携行物の場所を特定することを特徴とする追跡システム。
【請求項３】
微弱電波を送信し続ける利用者側の送信器と、
利用者が携行する携行物に配され、通電が成されると個体識別情報を重畳させた変調波を送信アンテナから周期的に放射するアクティブ無線タグと、
前記携行物に配され前記微弱電波を受信する受信回路と、
前記携行物の盗難により、前記利用者の前記送信器と前記携行物の前記アクティブ無線タグとの距離が離れて前記受信回路で前記微弱電波が受信できなくなると電池から前記アクティブ無線タグへ通電を行う前記携行物に配される通電回路と、
前記変調波を捉える受信アンテナと、捉えた変調波の増幅、検波、復調を行う受信回路と、個体識別が成されると立寄時間および拠点場所情報とともに前記個体識別情報を通信回線を介して通報先に送信する通報回路とを有し、複数の監視拠点に設置される拠点装置とで構成され、
前記監視拠点に犯人が立ち寄った際に、前記アクティブ無線タグから前記変調波が放射されると、前記通報先では、前記個体識別情報とともに送られてくる前記立寄時間および前記拠点場所情報に基づいて前記携行物の場所を特定することを特徴とする追跡システム。
【請求項４】
前記監視拠点は、公園、トイレ、遊技場、自動販売機、駅であることを特徴とする請求項１乃至請求項３の何れか１項に記載の追跡システム。
【発明の詳細な説明】
【技術分野】
【０００１】
本発明は、アクティブ無線タグを使った追跡システムに関する。
【背景技術】
【０００２】
特許文献１には、携帯電話を携帯する火災発見者が消火器を操作すると、消火器に装備したＲＦＩＤタグから携帯電話へＩＤを送信し、その携帯電話から消防へ緊急通報する消火器が開示されている。
【０００３】
【特許文献１】特開２００７−１０２２９５号公報
【発明の開示】
【発明が解決しようとする課題】
【０００４】
特許文献１において、ＲＦＩＤ受信機能付の携帯電話を火災発見者が持っていない場合や、消火器を操作しないで避難した場合や、火災現場が圏外の場合には、消防へ緊急通報されない。
【０００５】
本発明の目的は、携行物を奪った犯人が立ち寄った監視拠点の監視場所情報等が通報先へ送られ、携行物の場所が特定できる追跡システムの提供にある。
【課題を解決するための手段】
【０００６】
〔請求項１の手段〕
追跡システムは、利用者が携行する携行物に配されるアクティブ無線タグと、携行物に配され携行物が奪われるとアクティブ無線タグへ通電を行う常開スイッチと、複数の監視拠点に設置される拠点装置とにより構成され、個体識別情報とともに送られてくる立寄時間および拠点場所情報に基づいて携行物の場所を特定することができる。
【０００７】
アクティブ無線タグは、接点からクリップ付きのヒモにくくったピンが抜けて常開スイッチの接点が閉成して電池から通電が成されると個体識別情報を重畳させた変調波を送信アンテナから周期的に放射する。
拠点装置は、変調波を捉える受信アンテナと、捉えた変調波の増幅、検波、復調を行う受信回路と、個体識別が成されると立寄時間および拠点場所情報とともに個体識別情報を通信回線を介して通報先に送信する通報回路とを有する。
【０００８】
利用者から奪った携行物を所持した犯人が監視拠点に立ち寄ると、アクティブ無線タグから変調波が放射されているので、拠点装置の受信回路が個体識別し、拠点装置の通報回路が個体識別情報とともに立寄時間および拠点場所情報を通報先に送信する。
通報先では、個体識別情報とともに送られてくる立寄時間および拠点場所情報に基づいて携行物の場所を特定することができる。
【０００９】
〔請求項２の手段〕
携行物が奪われた際に発生する大きな加速度を携行物に配されるＧセンサが検出すると、携行物に配される自己保持形の通電回路が電池からアクティブ無線タグへ通電を行う。  盗難時のみアクティブ無線タグから変調波が放射されるため、通報先は、盗難があったか否かの判別を容易にできる。また、盗難時のみ、アクティブ無線タグへ電力が供給されるため、電池の寿命を延ばすことができる。
【００１０】
〔請求項３の手段〕
利用者側の送信器から送信され続ける微弱電波を、携行物の盗難により、利用者の送信器と携行物のアクティブ無線タグとの距離が離れて受信回路で受信できなくなると、通電回路が電池からアクティブ無線タグへ通電を行う。
盗難時のみアクティブ無線タグから変調波が放射されるため、通報先は、盗難があったか否かの判別を容易にできる。また、盗難時のみ、アクティブ無線タグへ電力が供給されるため、電池の寿命を延ばすことができる。
〔請求項４の手段〕
監視拠点は、公園、トイレ、遊技場、自動販売機、駅であるため、奪った携行物を所持した犯人が立ち寄る可能性が高い。
【図面の簡単な説明】
【００１１】
【図１】本発明の請求項１〜４に係る追跡システムのブロック図である。
【発明を実施するための形態】
【００１２】
発明を実施するための形態を実施例１に基づいて説明する。
【実施例１】
【００１３】
追跡システムは、ビジネスマン（利用者）のカバン（携行物）に配され、カバンが奪われると通電されるアクティブ無線タグ５６と、複数の監視拠点に設置される拠点装置とにより構成されている。
なお、監視拠点は、公園、トイレ、遊技場、自動販売機、駅等の場所が好ましい。
通報先では、個体識別情報とともに送られてくる立寄時間および拠点場所情報に基づいて、奪われたカバンの場所を特定することができる。
【００１４】
図１の（ａ）の構成の追跡システムでは、カバンが奪われる際に発生する大きな加速度をＧセンサ５４が検出すると、自己保持形の通電回路５５がアクティブ無線タグ５６へ通電を行っている。
【００１５】
図１の（ｂ）の構成の追跡システムでは、カバンが奪われた時に、クリップ５７ａ付のヒモ５７にくくったピン５８が抜けて常開スイッチ５９の接点が閉成する。
【００１６】
図１の（ｃ）の構成の追跡システムでは、利用者側の送信回路６５（送信器）から送信され続ける微弱電波６６を、盗難により両者の距離が離れてカバン側（携行物側）の受信回路６７で受信できなくなると通電回路６８がアクティブ無線タグ５６へ通電を行っている。
【００１７】
これらの追跡システムは、盗難時のみアクティブ無線タグ５６から変調波５６ａ、５６ｂ、５６ｃが放射されるため、通報先は、盗難があったか否かの判別を容易にできる。また、盗難時のみ、アクティブ無線タグ５６へ電力を供給するため、電池６０の寿命を延ばすことができる。
【符号の説明】
【００１８】
５４  Ｇセンサ
５６  アクティブ無線タグ
５６ａ、５６ｂ、５６ｃ  変調波
５８  ピン
５９  常開スイッチ
６５  送信回路（送信器）
６６  微弱電波
６７  受信回路
【図１】
0005149948.tif 000002